(57)【要約】【課題】収納した電子機器等が落下する等のおそれが無く、さらに、携帯した際に安定した状態で保持できる収納ケースの提供。【解決手段】本発明にかかる収納ケース１は、ベルトを挿通するための筒状のベルト通し部２の幅を拡縮調節する幅調節手段として、筒状のベルト通し部の内周の対向する面の少なくとも一部に設けられた面ファスナ２１、２２を備えている。【選択図】            図１
2004298204.tif 000002
【特許請求の範囲】
【請求項１】
ベルトを挿通するための筒状のベルト通し部を備えた収納ケースにおいて、
前記ベルト通し部の幅を拡縮調節する幅調節手段を備えたことを特徴とする収納ケース。
【請求項２】
幅調節手段は、筒状のベルト通し部の内周の対向する面の少なくとも一部に設けられた面ファスナ部によって構成されたことを特徴とする請求項１に記載の収納ケース。
【発明の詳細な説明】
【０００１】
【発明の属する技術分野】
本発明は、電子機器等を収納し、携帯するための収納ケースに関するものであって、特には、落下等のおそれが無く、さらに、携帯した際に安定した状態で保持できるようにした携帯用収納ケースに関するものである。
【０００２】
【従来の技術】
従来の携帯電話機やノートパソコン等の電子機器を携帯するための収納ケースには、例えば、特開平９−２７６０２１号公報（以下、特許文献１という。）、特開平１０−２７６８１８号公報（以下、特許文献２という。）に記載されたものがあった。まず、特許文献１には、図５に示したように、携帯電話機を使用者の腰ベルトに装着する収納ケースが開示されている。この収納ケースは、髪留め用クリップに似た弾性金属板製のクリップ１２０を収納した袋状のバンド１３０を設け、また、バンド１３０の延長部分に係止片１４０を設け、係止片１４０に面ファスナ（ファスナ材）１５０を設け、使用者のベルトに装着するように構成したものである。
また、特許文献２には、図６に示したように、携帯用電話機を使用者の腰ベルトに装着する収納ケースが開示されている。この収納ケースは、腰ベルトに装着するための係止片２００（特許文献２の公報中では「ベルト２」）の一方の端に面ファスナ２４０を約半分重ねて縫合し、また、他面に面ファスナ２３０を巻き付けて（折り返して）縫合して、ベルト２００の他端に設けられた面ファスナ２３０を、面ファスナ２４０で包むようにして接合させることで、保持・装着するように構成したものである。
【０００３】
【特許文献１】
特開平９−２７６０２１号公報
【特許文献２】
特開平１０−２７６８１８号公報
【０００４】
【発明が解決しようとする課題】
ところが、上述したような従来の収納ケースにおいては、面ファスナを用いて装着するため、装着・取り外しが比較的容易にできるが、その反面、面ファスナが径年変化等で劣化した場合、その接合力が低下し、不用意に落下させてしまうという問題がある。
さらに、ベルト通し部の幅が固定されているため、特に使用者が細いベルトを使用している場合に、装着位置がずれてしまうことも度々あり、また、携帯した際に不安定になるという問題がある。
【０００５】
そこで、本発明は、収納した電子機器等が落下する等のおそれが無く、さらに、携帯した際に安定した状態で保持できる収納ケースの提供を目的としてなされたものである。
【０００６】
【課題を解決するための手段】
本発明にかかる収納ケースの請求項１は、ベルトを挿通するための筒状のベルト通し部を備えた収納ケースにおいて、前記ベルト通し部の幅を拡縮調節する幅調節手段を備えたことを特徴としている。
請求項２においては、幅調節手段は、筒状のベルト通し部の内周の対向する面の少なくとも一部に設けられた面ファスナ部によって構成されたことを特徴としている。
【０００７】
【作用】
請求項１の発明によれば、ベルト通し部の幅を拡縮調節する幅調節手段を備えたので、細いベルトを挿通するときには、ベルト通し部の幅を拡幅すると通し易くなる。そして、細いベルトを挿通するときには、ベルト通し部の幅を縮幅すると、ベルトと収納ケースとは安定して保持される。
請求項２の発明によれば、幅調節手段は、筒状のベルト通し部の内周の対向する面の少なくとも一部に設けられた面ファスナ部によって構成されているので、対向する面ファスナどうしを係合するとベルト通し部の幅が縮幅され、係合解除すると拡幅される。
【０００８】
【発明の実施の形態】
以下に、本発明にかかる収納ケースを、その実施の形態を示した図面に基づいて詳細に説明する。
【０００９】
図１は、本発明にかかる収納ケースを備えたバッグの使用状態を示す斜視図である。
図１において、使用者Ｍが背負ったバッグ本体Ｂには図示しないトランシーバ機器が収納されている。前記バッグ本体Ｂには腰ベルトＢ１が備えられており、この腰ベルトＢ１を使用者Ｍの腰に回して締めることによって、前記バッグ本体Ｂを使用者Ｍの身体に保持するように構成されている。
【００１０】
１は収納ケースであり、筒状のベルト通し部２に前記腰ベルトＢ１を挿通することによって、この収納ケース１を腰ベルトＢ１に保持・装着して固定し、さらに使用者Ｍの身体に固定するように構成されている。
前記収納ケース１の収納部３には、前記バッグ本体Ｂに収納したトランシーバの操作部Ｔが収納され、この操作部Ｔと前記トランシーバとはケーブルＣ１で接続されている。
【００１１】
次に、収納ケース１の詳細を図２、３、４を参照して説明する。
図２は収納ケース１のみの斜視図であり、収納部３には操作部Ｔが収納されていない状態を示している。
図２において、４は収納ケース１の蓋、５は収納部３の固定ベルト、６はケーブル挿通用の孔である。
前記固定ベルト５は舌片状の透明樹脂シート製であり、その先端部には面ファスナ５１が設けられている。この面ファスナ５１を収納部３の内壁面と係合させることによって、収納した操作部Ｔ等が落下しないように保持するように構成されている。前記固定ベルト５は透明であるので、操作部Ｔの表示内容等を容易に確認できる。
前記ケーブル挿通用の孔６の外にはカバー６１が設けられており、ケーブルを挿通しないときには、前記カバー６１の裏面に形成された面ファスナと、前記ケーブル挿通用の孔の内側に付設された内側体の面ファスナとを係合させることによって、前記ケーブル挿通用の孔６を塞ぐように構成されている。
同様の構造の孔は、マイクケーブル用にも設けることができる。
【００１２】
前記ベルト通し部２の内側には、対向する面に面ファスナ２１、２２が互いに係合可能に形成されている。前記面ファスナ２１、２２は、前記ベルト通し部２の内側の幅の１／３程度の幅に形成されている。
そして、図３に示したように、対向する面ファスナ２１、２２どうしの係合を解除した状態では、前記ベルト通し部２の内側の幅が広い状態である。
そして、図４に示したように、対向する面ファスナ２１、２２どうしを係合すると、前記ベルト通し部２の内側の幅が２／３程度に狭くなる。
このようにして、面ファスナどうしを係合したり、係合解除したりすることによって、ベルト通し部２の幅を拡縮することができるのである。
【００１３】
従って、幅の広いベルトを挿通するときや、幅の広くないベルトであってもバックル部を挿通するときには、ベルト通しの孔を拡幅すると挿通しやすくなる。また、幅の狭いベルトを挿通するときや、幅の広くないベルトであってもバックル部を挿通した後には、面ファスナ２１、２２どうしを係合させて、ベルト通しの孔を縮幅すると、ベルトがずれ難くなり、所望の位置に確実に保持・装着することができる。
そして、トランシーバの本体はバッグＢに収納し、その操作部Ｔを収納ケース１に収納し、この収納ケース１をバッグＢの腰ベルトＢ１に装着することによって、歩行しながら操作部Ｔを操作することが容易になる。また、収納ケース１に収納された操作部Ｔは、衝撃から防御される。
なお、対向する前記面ファスナ２１、２２によって面ファスナ部が形成され、この面ファスナ部は特許請求の範囲に記載された幅調節手段に相当する構成である。
【００１４】
なお、ファスナ２１、２２はベルト通し孔の１／３程度の幅に限らず、さらに広い幅もしくは狭い幅で形成してもよい。
ベルト通し孔の内面の複数個所に面ファスナを形成して、種々の幅に調節可能にすることもできる。
【００１５】
【発明の効果】
本発明にかかる収納ケースでは、ベルト通し部の幅を拡縮調節する幅調節手段を備えて、ベルトの幅に応じて拡縮できるようにしたので、幅の広いベルトも挿通しやすくなり、幅の狭いベルトに対しても安定して保持・固定できるようになった。
このようにして、本発明によれば、収納した電子機器等が落下する等のおそれが無く、さらに、携帯した際に安定した状態で保持できるという効果が得られるのである。
【図面の簡単な説明】
【図１】
本発明にかかる収納ケースを備えたバッグの使用状態の斜視図である。
【図２】
前記収納ケースの斜視図である。
【図３】
前記収納ケースの側面図である。
【図４】
前記収納ケースの側面図である。
【図５】
従来例の収納ケースの斜視図である。
【図６】
別の従来例の収納ケースの斜視図である。
【符号の説明】
１  収納ケース
２  ベルト通し部
３  収納部
２１、２２  面ファスナ、面ファスナ部、幅調節手段
【図１】
2004298204.tif 000003
【図２】
2004298204.tif 000004
【図３】
2004298204.tif 000005
【図４】
2004298204.tif 000006
【図５】
2004298204.tif 000007
【図６】
2004298204.tif 000008